(57)【要約】【課題】    花瓶あるいはスポンジの水の菌の繁殖を防ぐ制菌シートの提供【解決手段】  不織布に有機系カルボン酸、ジフェニルエーテル類、第４級アンモニウ塩等を含浸させたシートであって、切り花とともに花瓶に投入、あるいはスポンジに覆ったまま使用することを特徴とする切花用制菌シート【選択図】  図１
0003121273.tif 000002
【実用新案登録請求の範囲】
【請求項１】
不織布に有機系カルボン酸、ジフェニルエーテル類、第４級アンモニウム塩からなる制菌剤を含浸させたシートであって、切り花とともに花瓶に投入して使用することを特徴とする切花用制菌シート
【請求項２】
シート材料としてレーヨンを主体とした不織布を用いたことを特徴とする請求項１記載の切花用制菌シート
【請求項３】
シート材料としてコットン等の生分解性の材料からなる不織布を用いたことを特徴とする請求項１記載の切花用制菌シート
【請求項４】
盛り花用スポンジを覆った状態で切花を盛ることを可能とするよう切花挿入部分のシートの抵抗を他の部分シートより少なくし、コーナー部を任意に切り欠き可能とするミシン目を設けたことを特徴とする請求項1記載の切花用制菌シート
【考案の詳細な説明】
【技術分野】
【０００１】
本考案は、カルボン酸系、ジフェニルエーテル類、第４級アンモニウム塩からなる制菌剤を含浸させた切り花の茎の切り口を覆い、そのまま花瓶に入れて使用可能とする切り口覆い兼花瓶投入用シートに関する。
【背景技術】
【０００２】
従来、切花の鮮度保持剤や水分保存シートは存在したが、花瓶に挿した切花の水における菌の発生を抑えるシートは無かった。また、切花の鮮度保持を目的としたものはあるが、花瓶の中の水における制菌を目的としたものは見られなかった。
【０００３】
上記水分保存シートとしては、下記特許文献１がある。
【０００４】
【特許文献１】特開平８−２８０２５８号
【考案の開示】
【考案が解決しようとする課題】
【０００５】
近年病院等において、感染対策の一環として、お見舞いに持参された花束を入れた花瓶の水を検査したところ、前日に交換した花瓶の水からも、緑膿菌などの敗血症を引き起こす菌が見つかっている。そのため、病院では、次々とお見舞いの花束禁止や、待合室に花を飾ることを禁止するようになってきている。
しかし、患者や見舞い客にとっては、花束はともすれば暗くなりがちの入院生活において、心を癒してくれる作用があり、その対策が望まれていた。
【０００６】
また、盛り花にはスポンジが良く用いられるが、これも雑菌の棲家となり、入院患者に対する感染不安があった。さらにスポンジに切花を刺すときの衝撃で、切り口にスポンジが混入したり、スポンジに菌が繁殖して問題があった。
【０００７】
このような状況に対して、本考案の考案者が英知努力して開発した結果、不織布に制菌剤をしみ込ませたものをそのまま花瓶の水やスポンジに使用することで、飛躍的に花瓶の水やスポンジの菌を抑えることができることが判明し、その結果、一旦病院内に持ち込み禁止としていた病院から、再許可の内諾を得ることができるなど、実用化に向け、非常に効果が期待できる商品を製造するにいたったため、実用新案の出願にいたったものである。
【課題を解決するための手段】
【０００８】
本考案の切花用制菌シートは、不織布に有機系カルボン酸、ジフェニルエーテル類、第４級アンモニウム塩からなる制菌剤を含浸させたシートであって、切り花とともに花瓶に投入して使用することを要旨とする。
【０００９】
本考案の切花用制菌シートは、シート材料としてレーヨンを主体とした不織布を用いたことを要旨とする。
【００１０】
本考案の切花用制菌シートは、シート材料としてコットン等の生分解性の材料からなる不織布を用いたことを要旨とする。
【００１１】
本考案の切花用制菌シートは、盛り花用スポンジを覆った状態で切花を盛ることを可能とするよう切花挿入部分のシートの抵抗を他の部分シートより少なくし、コーナー部を任意に切り欠き可能とするミシン目を設けたことを要旨とする。
【考案を実施するための最良の形態】
【００１２】
本考案に係る制菌シートに用いる不織布は花瓶に投入タイプではレーヨン、ポリエステル等の不織布が吸水性の点において好ましい。
また、スポンジ用については、スポンジを覆う様にすることがしやすい、コットン、吸収性の良いウレタンフォームなどの素材の不織布が好ましく、さらに切花をシート上から刺す必要があるため、スポンジ上部に該当する部分には不織布の厚みを薄く構成するか、ポーラスの割りあいを高め、花を刺しやすくする工夫をしている。
また、本考案に用いる制菌剤はいずれもカルボン酸系、ジフェニルエーテル類、第４級アンモニウム塩系薬品が適している。ここでカルボン酸系とは有機系のもの、たとえば脂肪族カルボン酸、アミノ酸系カルボン酸、ポリメタクリル酸、ポリアクリル酸塩と硫酸亜鉛の配合物、ナリジクス酸等の制菌作用を有するものを指し、第４級アンモニウム塩とは、ベンズアルコニウムクロリド、ベンズエトニウムクロリド、アルキルイソキノリニウムブロミド等が考えられる。しかしこれらに限定されるわけではない。
これらの3種とも黄色ブドウ球菌、大腸菌、肺炎桿菌、緑膿菌、MRSAに対して有効である。  
その作用は3種共に、DNA阻害作用と考えられる。  すなわち、細菌の補酵素であるリボヌクレオチドレダクターゼ系を阻害する事により、デオキシリボヌクレオチドの供給不足がおこりDNAの合成が阻害され細胞の死滅がおこり殺菌作用をおこすものと考えられる。
さらにこれらの混合割合いに限定は無いが、６０％以上の割合をカルボン酸系の制菌剤が占める場合が多いこととなる。
シート形状は花瓶用は切り口が包めるような大きさ・形状であれば特にどのような大きさ・形状でもかまわない。円形、ハート型、筒型などでもかまわない。
【実施例１】
【００１３】
本実施例は、花瓶用シートに関するもので、図1により説明する。
図１は実施例１における使用状態を示した図である。（１）は本考案の制菌用シートであり、本実施例では、２０ｃｍ平方、厚さ０．０２ｍｍの四角形状としている。不織布は素材をレーヨン１００％、目付け７０ｇ／ｍ2で構成し、一般の不織布の冷却工程において、下記の制菌剤を含浸させる。
カルボン酸            １０〜３５％
ジフェニルエーテル    １０〜３５％
第４アンモニウ塩      ５〜１０％
水                    ５％〜３０％
なお、本実施例においては上記制菌剤を使用したが、これに限らずこの３薬品系からなるものであれば限定なく、同様の効果が得られる。
【００１４】
このような制菌用シートを巻いた花束を花瓶にシートごと入れる。花瓶に入れることのみで、花瓶内の水に対して制菌効果があるため、図２〜図9に示すように種々の菌に対して、制菌効果が認められる。この中で図７、図8は、花瓶の水を３日後、７日後に検査したものである。
証明書における「アモルデンＮＣＡ５％ｏｗｆ」は、実施例１の制菌剤を指している。また、図２から図６は、Pseudomonas aeruginosa菌（緑膿菌） Escherichia coli菌（大腸菌） Methicillin耐性Staphylococcus
aureus菌（黄色ブドウ球菌） Staphylococcus aureus菌 Klebsiella pneumoniae 菌（肺炎桿菌）について検査したものであり、いずれも菌数が６００以下となっており、本考案の制菌剤の効果があらわれている。
図７、図８は加工布と未加工布を病院の花瓶内に使用した場合を想定して、実験室で花瓶内の３日後の水と、７日後の水を採取して検査したものであり、いずれも、黄色ブドウ球菌・肺炎桿菌・緑膿菌・大腸菌において、加工布はマイナスの菌数増加を示し、制菌効果があることがわかる。特に花瓶の中の水における制菌効果が認められるのは本考案のシートのみである。なお、実験は実施例１の制菌剤（アモルデンNCAと表現）と実施例２の制菌剤（アモルデンECと表現）の併用結果である。
また、図９はＭＲＳＡ菌に対しての実験結果をあらわすものであり、特に本考案シートは、上記3種成分を成分に含んでいるためＭＲＳＡ菌に対して顕著な効果を有し、病院の花瓶用としては最適なものと思われる。なお、この効果は花瓶の水を交換しても衰えることがない。
【実施例２】
【００１５】
本実施例は、スポンジ用シートに関するもので、図１０（1）から（３）により説明する。
図１０は実施例２におけるスポンジ用シートの斜視図である。中央部Aはシートの厚みを半分にしている。これは切花をスポンジに刺しやすくするためである。また、シートにはミシン目Bが設けられ、覆いかけるスポンジにあわせてコーナー部Ｃを取り除く場合に便利なようになっている。このミシン目を使用してコーナーを取り除いてスポンジに被せても良いし、スポンジの形状によっては、このコーナー部を取り除かないで使用しても良い。
図１０（２）に示したように、スポンジが角張った形状である場合などは、コーナーを取り除いて図に示すようにスポンジにシートを被せ前後左右の両端を折りたたみ、側面、底面を覆うようにする。その結果底面は図１０（３）のようになる。
このようなシートを使用したスポンジにおいては、切花を差し込むときにシートの抵抗も少なく、しかもシートが切り花により削りとられたスポンジのかけらが切花の茎の切り口に入り込むのも防止することができ、切花が水分を吸いこむのを妨害しない。また、シートによる制菌作用により、雑菌の繁殖を抑えることができ、病室においておいても、感染症の温床とはならないこととなる。このスポンジ用制菌シートには、スポンジが主としてくずれやすい素材でできている関係で、スポンジの崩れ、分解を防止する作用もあり、ひいては制菌面においても効果が発揮できる。
下記の成分を有した制菌剤を用い、不織布は素材をコットンで構成し、一般の不織布の冷却工程において、下記の制菌剤を含浸させる。
有機系カルボン酸          １０〜２５％
ジフェニルエーテル        １０〜１８％
第４アンモニウ塩          ３％〜１２％
水                        ５０〜７０％
なお、本実施例においては上記制菌剤を使用したが、これに限らず同様なものであれば同様の効果が得られる。
【００１６】
このような制菌用シートも上記実施例１と同様、図２〜図９に示すように種々の菌に対して、制菌効果が認められる。スポンジ用としては最適なものと思われる。
【産業上の利用可能性】
【００１７】
以上説明したように、本考案の制菌シートは、病室における生け花を可能とし、感染症の元になることを防止することができる。また、その取り扱いも単にそのまま花瓶に花束とともに投入するなど簡便なため、有用性が高い。
病人に与えられる花の安らぎもあきらめずに、お見舞いに花を用いることを可能とすることができる本考案は産業上の利用可能性があることはいうまでもない。
【図面の簡単な説明】
【００１８】
【図１】実施例に係る花瓶用制菌シートの使用状態図である。
【図２】実施例に係る花瓶用制菌シートの抗菌試験結果を示す証明書である。
【図３】実施例に係る花瓶用制菌シートの抗菌試験結果を示す証明書である。
【図４】実施例に係る花瓶用制菌シートの抗菌試験結果を示す証明書である。
【図５】実施例に係る花瓶用制菌シートの抗菌試験結果を示す証明書である。
【図６】実施例に係る花瓶用制菌シートの抗菌試験結果を示す証明書である。
【図７】実施例に係る花瓶用制菌シートの抗菌試験結果を示す証明書である。
【図８】実施例に係る花瓶用制菌シートの抗菌試験結果を示す証明書である。
【図９】実施例に係る花瓶用制菌シートの抗菌試験結果を示す証明書である。
【図１０】第２の実施例に係る花瓶用制菌シートの（１）斜視図（２）被せ方の説明図（３）使用状態図である。
【符号の説明】
【００１９】
１  制菌シート
Ａ  中央部
Ｂ  ミシン目
Ｃ  コーナー部  
【図１】
0003121273.tif 000003
【図２】
0003121273.tif 000004
【図３】
0003121273.tif 000005
【図４】
0003121273.tif 000006
【図５】
0003121273.tif 000007
【図６】
0003121273.tif 000008
【図７】
0003121273.tif 000009
【図８】
0003121273.tif 000010
【図９】
0003121273.tif 000011
【図１０】
0003121273.tif 000012
【手続補正書】
【提出日】平成18年2月17日(2006.2.17)
【手続補正１】
【補正対象書類名】明細書
【補正対象項目名】００１３
【補正方法】変更
【補正の内容】
【００１３】
本実施例は、花瓶用シートに関するもので、図1により説明する。
図１は実施例１における使用状態を示した図である。（１）は本考案の制菌用シートであり、本実施例では、２０ｃｍ平方、厚さ０．０２ｍｍの四角形状としている。不織布は素材をレーヨン１００％、目付け７０ｇ／ｍ2で構成し、一般の不織布の冷却工程において、下記の制菌剤を含浸させる。
カルボン酸            １０〜３５％
ジフェニルエーテル    １０〜３５％
第４アンモニウム塩      ５〜１０％
水                    ５％〜３０％
なお、本実施例においては上記制菌剤を使用したが、これに限らずこの３薬品系からなるものであれば限定なく、同様の効果が得られる。
【手続補正２】
【補正対象書類名】明細書
【補正対象項目名】００１４
【補正方法】変更
【補正の内容】
【００１４】
このような制菌用シートを巻いた花束を花瓶にシートごと入れる。花瓶に入れることのみで、花瓶内の水に対して制菌効果があるため、図２〜図9に示すように種々の菌に対して、制菌効果が認められる。この中で図７、図8は、花瓶の水を３日後、７日後に検査したものである。
証明書における「アモルデン（登録商標）ＮＣＡ５％ｏｗｆ」は、実施例１の制菌剤を指している。また、図２から図６は、Pseudomonas aeruginosa菌（緑膿菌） Escherichia coli菌（大腸菌） Methicillin耐性Staphylococcus
aureus菌（黄色ブドウ球菌） Staphylococcus aureus菌 Klebsiella pneumoniae 菌（肺炎桿菌）について検査したものであり、いずれも菌数が６００以下となっており、本考案の制菌剤の効果があらわれている。
図７、図８は加工布と未加工布を病院の花瓶内に使用した場合を想定して、実験室で花瓶内の３日後の水と、７日後の水を採取して検査したものであり、いずれも、黄色ブドウ球菌・肺炎桿菌・緑膿菌・大腸菌において、加工布はマイナスの菌数増加を示し、制菌効果があることがわかる。特に花瓶の中の水における制菌効果が認められるのは本考案のシートのみである。なお、実験は実施例１の制菌剤（アモルデンNCAと表現）と実施例２の制菌剤（アモルデンECと表現）の併用結果である。
また、図９はＭＲＳＡ菌に対しての実験結果をあらわすものであり、特に本考案シートは、上記3種成分を成分に含んでいるためＭＲＳＡ菌に対して顕著な効果を有し、病院の花瓶用としては最適なものと思われる。なお、この効果は花瓶の水を交換しても衰えることがない。
【手続補正３】
【補正対象書類名】明細書
【補正対象項目名】００１５
【補正方法】変更
【補正の内容】
【００１５】
本実施例は、スポンジ用シートに関するもので、図１０（1）から（３）により説明する。
図１０は実施例２におけるスポンジ用シートの斜視図である。中央部Aはシートの厚みを半分にしている。これは切花をスポンジに刺しやすくするためである。また、シートにはミシン目Bが設けられ、覆いかけるスポンジにあわせてコーナー部Ｃを取り除く場合に便利なようになっている。このミシン目を使用してコーナーを取り除いてスポンジに被せても良いし、スポンジの形状によっては、このコーナー部を取り除かないで使用しても良い。
図１０（２）に示したように、スポンジが角張った形状である場合などは、コーナーを取り除いて図に示すようにスポンジにシートを被せ前後左右の両端を折りたたみ、側面、底面を覆うようにする。その結果底面は図１０（３）のようになる。
このようなシートを使用したスポンジにおいては、切花を差し込むときにシートの抵抗も少なく、しかもシートが切り花により削りとられたスポンジのかけらが切花の茎の切り口に入り込むのも防止することができ、切花が水分を吸いこむのを妨害しない。また、シートによる制菌作用により、雑菌の繁殖を抑えることができ、病室においておいても、感染症の温床とはならないこととなる。このスポンジ用制菌シートには、スポンジが主としてくずれやすい素材でできている関係で、スポンジの崩れ、分解を防止する作用もあり、ひいては制菌面においても効果が発揮できる。
下記の成分を有した制菌剤を用い、不織布は素材をコットンで構成し、一般の不織布の冷却工程において、下記の制菌剤を含浸させる。
有機系カルボン酸          １０〜２５％
ジフェニルエーテル        １０〜１８％
第４アンモニウム塩          ３％〜１２％
水                        ５０〜７０％
なお、本実施例においては上記制菌剤を使用したが、これに限らず同様なものであれば同様の効果が得られる。
【手続補正４】
【補正対象書類名】図面
【補正対象項目名】全図
【補正方法】変更
【補正の内容】
【図１】
0003121273.tif 000013
【図２】
0003121273.tif 000014
【図３】
0003121273.tif 000015
【図４】
0003121273.tif 000016
【図５】
0003121273.tif 000017
【図６】
0003121273.tif 000018
【図７】
0003121273.tif 000019
【図８】
0003121273.tif 000020
【図９】
0003121273.tif 000021
【図１０】
0003121273.tif 000022